(57)【要約】【課題】  ナビゲーションサービスを受ける者が、誘導の成功に応じて、ナビゲーションサービスの提供者に対価を支払うことを可能にする成功管理システム、携帯端末装置、ナビゲーション管理システム、ナビゲーションプログラムおよび成功管理方法を提供する。【解決手段】  店舗までのナビゲーションに対する成功を管理する成功管理システムであって、携帯端末装置から受信した、携帯端末装置が店舗までのナビゲーションを成功したことを通知する成功情報を成功数にカウントアップし、成功数を、各店舗を識別するための店舗ＩＤに対応付けて記憶させる管理部と、店舗ＩＤ、店舗ＩＤに対応付けられ、請求先を特定する請求先情報および成功数を記憶する記憶部と、記憶部から請求先情報および成功数を読み出し、ナビゲーションの成功の対価として請求すべき請求額を請求先ごとに算出する算出部と、を備える。【選択図】  図１
2006330943.tif 000002
【特許請求の範囲】
【請求項１】
店舗までのナビゲーションに対する成功を管理する成功管理システムであって、
携帯端末装置から受信した、前記携帯端末装置が店舗までのナビゲーションを成功したことを通知する成功情報を成功数にカウントアップし、前記成功数を、各店舗を識別するための店舗ＩＤに対応付けて記憶させる管理部と、
前記店舗ＩＤ、前記店舗ＩＤに対応付けられ、請求先を特定する請求先情報および前記成功数を記憶する記憶部と、
前記記憶部から前記請求先情報および前記成功数を読み出し、前記請求先情報および前記成功数に基き、ナビゲーションの成功の対価として請求すべき請求額を請求先ごとに算出する算出部と、を備えることを特徴とする成功管理システム。
【請求項２】
店舗までのナビゲーションに対する成功を管理する成功管理システムであって、
携帯端末装置から受信した、前記携帯端末装置が店舗までのナビゲーションを成功したことを通知する成功情報を、各店舗を識別するための店舗ＩＤに対応付けて記憶させる管理部と、
前記店舗ＩＤ、前記店舗ＩＤに対応付けられ、請求先を特定する請求先情報および前記成功情報を記憶する記憶部と、
前記記憶部から前記請求先情報および前記成功情報を読み出し、前記成功情報をカウントし、前記請求先情報および前記成功数に基き、ナビゲーションの成功の対価として請求すべき請求額を請求先ごとに算出する算出部と、を備えることを特徴とする成功管理システム。
【請求項３】
携帯端末装置から前記店舗ＩＤおよび前記店舗の位置情報を要求する要求信号があったときに、前記店舗ＩＤおよび前記店舗の位置情報を前記記憶部から読み出し、店舗情報として前記携帯端末装置への送信処理を行なう誘導処理部を更に備え、
前記記憶部は、前記店舗ＩＤに対応付けて前記店舗の位置情報を記憶することを特徴とする請求項１または請求項２記載の成功管理システム。
【請求項４】
前記管理部は、前記請求額のデータを前記請求先情報に対応付けて前記記憶部に記憶させ、所定の条件を満たしたときには、前記記憶部から前記請求先情報および前記請求額のデータを読み出し、前記請求先情報から特定される請求先システムへ前記請求額のデータの送信処理をすることを特徴とする請求項１から請求項３のいずれかに記載の成功管理システム。
【請求項５】
前記記憶部から前記店舗ＩＤおよび前記成功情報を読み出し、店舗までのナビゲーションの利用状況を分析する分析部を更に備えることを特徴とする請求項１から請求項４のいずれかに記載の成功管理システム。
【請求項６】
前記記憶部は、前記店舗ＩＤに対応付けてクーポン情報を記憶し、
前記管理部は、前記成功情報の受信があったときには、前記記憶部から前記クーポン情報を読み出し、前記携帯端末装置への送信処理を行なうことを特徴とする請求項１から請求項５のいずれかに記載の成功管理システム。
【請求項７】
ＧＰＳ機能を有する携帯端末装置であって、
店舗の位置情報および店舗ＩＤを含む店舗情報に基いて、ＧＰＳ機能を用いて前記店舗までのナビゲーションの実行処理を行なうナビゲーション実行部と、
前記ナビゲーションの実行中に、自己の現在位置が前記店舗の位置から一定範囲内に入っているか否かを判定する判定部と、
前記判定部が自己の現在位置が前記店舗の位置から一定範囲内に入っていると判定した場合には、前記ナビゲーションを成功したものとして、店舗までのナビゲーションに対する成功を管理する成功管理システムへ、ナビゲーションの成功を通知する成功情報および前記店舗ＩＤの送信処理を行なう成功処理部と、を備えることを特徴とする携帯端末装置。
【請求項８】
店舗までのナビゲーションを実行し、ナビゲーションの成功を管理するナビゲーション管理システムであって、
請求項１から請求項５のいずれかに記載の成功管理システムと、請求項６記載の携帯端末装置と、を備えることを特徴とするナビゲーション管理システム。
【請求項９】
店舗の位置情報および店舗ＩＤを含む店舗情報に基いて、ＧＰＳ機能を用いて前記店舗までのナビゲーションを行なうナビゲーション実行処理と、
前記ナビゲーションの実行中に、自己の現在位置が前記店舗の位置から一定範囲内に入っているか否かを判定する判定処理と、
前記判定部が自己の現在位置が前記店舗の位置から一定範囲内に入っていると判定した場合には、前記ナビゲーションを成功したものとして、店舗までのナビゲーションに対する成功を管理する成功管理システムへ、ナビゲーションの成功を通知する成功情報および前記店舗ＩＤの送信処理を行なう成功処理と、を携帯端末装置に実行させることを特徴とするナビゲーションプログラム。
【請求項１０】
店舗までのナビゲーションに対する成功を管理する成功管理方法であって、
携帯端末装置から前記携帯端末装置が店舗までのナビゲーションを成功したことを通知する成功情報を受信する受信ステップと、
前記受信した成功情報を成功数にカウントアップするカウントステップと、
前記成功数を、各店舗を識別するための店舗ＩＤに対応付けて記憶部に記憶させる記憶ステップと、
前記記憶部から、前記成功数を読み出し、前記請求先情報および前記成功数に基き、ナビゲーションの成功の対価として請求すべき請求額を請求先ごとに算出する算出ステップと、を含むことを特徴とする成功管理方法。
【請求項１１】
店舗までのナビゲーションに対する成功を管理する成功管理方法であって、
携帯端末装置から前記携帯端末装置が店舗までのナビゲーションを成功したことを通知する成功情報を受信する受信ステップと、
前記受信した成功情報を、各店舗を識別するための店舗ＩＤに対応付けて記憶部に記憶させる記憶ステップと、
前記記憶部から、前記成功情報を読み出し、前記請求先情報および前記成功数に基き、前記成功情報をカウントしナビゲーションの成功の対価として請求すべき請求額を請求先ごとに算出する算出ステップと、を含むことを特徴とする成功管理方法。
【発明の詳細な説明】
【技術分野】
【０００１】
本発明は、ナビゲーションの成功を管理する成功管理システム、ナビゲーションを実行する携帯端末装置、ナビゲーション管理システムおよびナビゲーションプログラムならびに成功管理方法に関する。
【背景技術】
【０００２】
近年、ＧＰＳ機能を備える携帯端末装置を介して、目的地までのナビゲーションを提供するサービスが普及している。このようなナビゲーションサービスの提供を受けるサービス加入者は、一律の手数料をナビゲーションシステムの運営者に支払っている。このようなサービスに関して、電子クーポンを利用するシステムが提案されている（たとえば、特許文献１参照）。特許文献１に記載される測位サービスの提供システムでは、位置補正情報を無線で受信する移動局が、事前に電子クーポンを購入する。そして、このシステムは、電子クーポンにより、衛星電波の受信状況などを考慮したアカウント管理を行い、回数券、定期券、特別利用券という３種類の電子クーポンによる高精度測位サービスを提供する。このようにして、高精度測位サービスにおいて、サービス内容に応じた従量課金を可能としている。
【０００３】
また、このようなシステム以外に、携帯端末装置によるナビゲーションと商取引とを関連付けたシステムが提案されている（たとえば、特許文献２参照）。特許文献２に記載される仲介システムは、ユーザのナビゲーションシステムに店舗の案内をさせて、かつ、案内の証明書を発行するものである。そして、ユーザは証明書を提示して店舗と商取引を行うときに割引を受ける。仲介システムは案内によりユーザと取引した店舗から案内紹介手数料を徴収する。
【０００４】
一方、電気通信網を利用する広告システムの分野では、成功報酬型のいわゆるアフィリエイトシステムが発達している。アフィリエイトシステムとは、たとえば、Ｗｅｂサイトで所定の広告が表示されたときに、表示数がカウントされ、表示数に応じて広告手数料が決定されるシステムである。
【特許文献１】特開２００３−１４９３１９号公報
【特許文献２】特開２００１−３０６７１６号公報
【発明の開示】
【発明が解決しようとする課題】
【０００５】
上記のように、ナビゲーションとクーポンとを関連付けたシステムやナビゲーションと商取引とを関連付けたシステムが従来から提案されている。
【０００６】
しかしながら、上記のようなシステムは、店舗への案内の成否を直接ナビゲーションの正否として判定しない。たとえば、特許文献２に記載の仲介システムは、ナビゲーションの成否に関わらず、案内用のデータを携帯電話機に送信したときに、案内証明を発行し、案内証明はユーザのクーポン利用や仲介者の案内紹介手数料の請求に利用される。このように、案内証明が利用されたときには、ユーザが広告を見て店舗を訪れたことになるが、システムはナビゲーションの成否を判断しない。
【０００７】
したがって、ナビゲーションサービスの提供を受ける店舗等は、ナビゲーションが店舗等までの誘導に寄与したか否かにかかわらず、一律のナビゲーション利用料をナビゲーションシステムの運営者に支払う必要がある。このように、ナビゲーションの利用により生じた手数料を、成功報酬の方式でナビゲーションサービス加入者に請求するシステムは未だ実現していない。
【０００８】
本発明は、このような事情に鑑みてなされたものであり、ナビゲーションサービスを受ける者が、ナビゲーションによる誘導の成功に応じて、ナビゲーションサービスの提供者に対価を支払うことを可能にする成功管理システム、携帯端末装置、ナビゲーション管理システム、ナビゲーションプログラムおよび成功管理方法を提供することを目的とする。
【課題を解決するための手段】
【０００９】
（１）上記の目的を達成するため、本発明の成功管理システムは、店舗までのナビゲーションに対する成功を管理する成功管理システムであって、携帯端末装置から受信した、前記携帯端末装置が店舗までのナビゲーションを成功したことを通知する成功情報を成功数にカウントアップし、前記成功数を、各店舗を識別するための店舗ＩＤに対応付けて記憶させる管理部と、前記店舗ＩＤ、前記店舗ＩＤに対応付けられ、請求先を特定する請求先情報および前記成功数を記憶する記憶部と、前記記憶部から前記請求先情報および前記成功数を読み出し、前記請求先情報および前記成功数に基き、ナビゲーションの成功の対価として請求すべき請求額を請求先ごとに算出する算出部と、を備えることを特徴としている。
【００１０】
このように、本発明の成功管理システムは、店舗までのナビゲーションを成功したことを通知する成功情報を受信して、ナビゲーションが成功したことの対価として請求額を請求先ごとに算出する。これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００１１】
（２）また、本発明の成功管理システムは、店舗までのナビゲーションに対する成功を管理する成功管理システムであって、携帯端末装置から受信した、前記携帯端末装置が店舗までのナビゲーションを成功したことを通知する成功情報を、各店舗を識別するための店舗ＩＤに対応付けて記憶させる管理部と、前記店舗ＩＤ、前記店舗ＩＤに対応付けられ、請求先を特定する請求先情報および前記成功情報を記憶する記憶部と、前記記憶部から前記請求先情報および前記成功情報を読み出し、前記成功情報をカウントし、前記請求先情報および前記成功数に基き、ナビゲーションの成功の対価として請求すべき請求額を請求先ごとに算出する算出部と、を備えることを特徴としている。
【００１２】
このように、本発明の成功管理システムは、店舗までのナビゲーションを成功したことを通知する成功情報を受信して、ナビゲーションが成功したことの対価として請求額を請求先ごとに算出する。これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００１３】
（３）また、本発明の成功管理システムは、携帯端末装置から前記店舗ＩＤおよび前記店舗の位置情報を要求する要求信号があったときに、前記店舗ＩＤおよび前記店舗の位置情報を前記記憶部から読み出し、店舗情報として前記携帯端末装置への送信処理を行なう誘導処理部を更に備え、前記記憶部は、前記店舗ＩＤに対応付けて前記店舗の位置情報を記憶することを特徴としている。
【００１４】
このように位置情報を管理し、店舗の紹介も行なうことにより、店舗まで誘導させる処理の効率を向上させる。
【００１５】
（４）また、本発明の成功管理システムにおいて、前記管理部は、前記請求額のデータを前記請求先情報に対応付けて前記記憶部に記憶させ、所定の条件を満たしたときには、前記記憶部から前記請求先情報および前記請求額のデータを読み出し、前記請求先情報から特定される請求先システムへ前記請求額のデータの送信処理をすることを特徴としている。
【００１６】
これにより、ナビゲーションにより店舗までの誘導が成功したときに、請求額を請求することもサーバ間の処理で行なうことができる。
【００１７】
（５）また、本発明の成功管理システムは、前記記憶部から前記店舗ＩＤおよび前記成功情報を読み出し、店舗までのナビゲーションの利用状況を分析する分析部を更に備えることを特徴としている。
【００１８】
これにより、ナビゲーションの利用状況の分析や管理を行ない、ナビゲーションサービスの充実を図ることができる。たとえば、店舗ＩＤごとに広告からナビゲーションサービスを利用するユーザが多いかの統計をとり、広告とナビゲーションとのの関係を分析することができる。その他にも、地域ごとのナビゲーション使用状況等の統計をとることができる。
【００１９】
（６）また、本発明の成功管理システムにおいて、前記記憶部は、前記店舗ＩＤに対応付けてクーポン情報を記憶し、前記管理部は、前記成功情報の受信があったときには、前記記憶部から前記クーポン情報を読み出し、前記携帯端末装置への送信処理を行なうことを特徴としている。
【００２０】
このように、本発明の成功管理システムは、店舗までのナビゲーションに成功したときには携帯端末装置にクーポン情報を送信する。これにより、店舗はクーポンサービスを行ない集客力を高めることができる。その結果、ユーザのナビゲーションの利用を促進することができる。
【００２１】
（７）また、本発明の携帯端末装置は、ＧＰＳ機能を有する携帯端末装置であって、店舗の位置情報および店舗ＩＤを含む店舗情報に基いて、ＧＰＳ機能を用いて前記店舗までのナビゲーションの実行処理を行なうナビゲーション実行部と、前記ナビゲーションの実行中に、自己の現在位置が前記店舗の位置から一定範囲内に入っているか否かを判定する判定部と、前記判定部が自己の現在位置が前記店舗の位置から一定範囲内に入っていると判定した場合には、前記ナビゲーションを成功したものとして、店舗までのナビゲーションに対する成功を管理する成功管理システムへ、ナビゲーションの成功を通知する成功情報および前記店舗ＩＤの送信処理を行なう成功処理部と、を備えることを特徴としている。
【００２２】
このように、本発明の携帯端末装置は、店舗の位置から一定範囲内に入っているときに、店舗までのナビゲーションを成功したことを通知する成功情報を送信する。これにより、成功報酬型のナビゲーション管理システムを構築することができ、または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００２３】
（８）また、本発明のナビゲーション管理システムは、店舗までのナビゲーションを実行し、ナビゲーションの成功を管理するナビゲーション管理システムであって、上記の成功管理システムと、上記の携帯端末装置と、を備えることを特徴としている。
【００２４】
これにより、店舗等のナビゲーションサービスを受ける者が、誘導の成功に応じて、ナビゲーションサービスの提供者に対価を支払うことを可能にする。成果に応じてナビゲーションサービスの提供料を支払うことができるため、店舗等のナビゲーションサービスを受ける者は無駄なコストやリスクを回避できる。
【００２５】
（９）また、本発明のナビゲーションプログラムは、店舗の位置情報および店舗ＩＤを含む店舗情報に基いて、ＧＰＳ機能を用いて前記店舗までのナビゲーションを行なうナビゲーション実行処理と、前記ナビゲーションの実行中に、自己の現在位置が前記店舗の位置から一定範囲内に入っているか否かを判定する判定処理と、前記判定部が自己の現在位置が前記店舗の位置から一定範囲内に入っていると判定した場合には、前記ナビゲーションを成功したものとして、店舗までのナビゲーションに対する成功を管理する成功管理システムへ、ナビゲーションの成功を通知する成功情報および前記店舗ＩＤの送信処理を行なう成功処理と、を携帯端末装置に実行させることを特徴としている。
【００２６】
このように、本発明のナビゲーションプログラムは、携帯端末装置の位置が店舗の位置から一定範囲内に入っているときに、携帯端末装置に店舗までのナビゲーションを成功したことを通知する成功情報を送信させる。これにより、成功報酬型のナビゲーション管理システムを構築することができ、店舗または店舗紹介者その他のナビゲーションサービスを受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００２７】
（１０）また、本発明の成功管理方法は、店舗までのナビゲーションに対する成功を管理する成功管理方法であって、携帯端末装置から前記携帯端末装置が店舗までのナビゲーションを成功したことを通知する成功情報を受信する受信ステップと、前記受信した成功情報を成功数にカウントアップするカウントステップと、前記成功数を、各店舗を識別するための店舗ＩＤに対応付けて記憶部に記憶させる記憶ステップと、前記記憶部から、前記成功数を読み出し、前記請求先情報および前記成功数に基き、ナビゲーションの成功の対価として請求すべき請求額を請求先ごとに算出する算出ステップと、を含むことを特徴としている。
【００２８】
これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００２９】
（１１）また、本発明の成功管理方法は、店舗までのナビゲーションに対する成功を管理する成功管理方法であって、携帯端末装置から前記携帯端末装置が店舗までのナビゲーションを成功したことを通知する成功情報を受信する受信ステップと、前記受信した成功情報を、各店舗を識別するための店舗ＩＤに対応付けて記憶部に記憶させる記憶ステップと、前記記憶部から、前記成功情報を読み出し、前記成功情報をカウントし、前記請求先情報および前記成功数に基き、ナビゲーションの成功の対価として請求すべき請求額を請求先ごとに算出する算出ステップと、を含むことを特徴としている。
【００３０】
これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【発明の効果】
【００３１】
本発明の成功管理システムによれば、店舗までのナビゲーションを成功したことを通知する成功情報を受信して、ナビゲーションの成功の対価として発生する請求額を請求先ごとに算出する。これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【００３２】
また、本発明の成功管理システムによれば、店舗まで誘導するための位置情報も同時に管理することにより、店舗まで誘導させる処理の効率を向上させる。
【００３３】
また、本発明の成功管理システムによれば、請求額を請求することもシステム間の処理で行なうことができる。
【００３４】
また、本発明の成功管理システムによれば、ナビゲーションの利用状況の分析や管理を行ない、ナビゲーションサービスの充実を図ることができる。たとえば、店舗ＩＤごとに広告からナビゲーションサービスを利用するユーザが多いかの統計をとり、広告とナビゲーションとのの関係を分析することができる。その他にも、地域ごとのナビゲーション使用状況等の統計をとることができる。
【００３５】
また、本発明の成功管理システムによれば、店舗までのナビゲーションに成功したときには携帯端末装置にクーポン情報を送信する。これにより、店舗はクーポンサービスを行ない集客力を高めることができる。その結果、ユーザのナビゲーションの利用を促進することができる。
【００３６】
また、本発明の携帯端末装置によれば、店舗の位置から一定範囲内に入っているときに、店舗までのナビゲーションを成功したことを通知する成功情報を送信する。これにより、成功報酬型のナビゲーション管理システムを構築することができ、ナビゲーションサービスを受ける者は無駄なコストやリスクを回避できる。
【００３７】
また、本発明のナビゲーション管理システムによれば、ナビゲーションサービスを受ける者が、ナビゲーションによる誘導の成功に応じて、ナビゲーションサービスの提供者に対価を支払うことを可能にし、ナビゲーションサービスを受ける者は無駄なコストやリスクを回避できる。
【００３８】
また、本発明のナビゲーションプログラムによれば、携帯端末装置の位置が店舗の位置から一定範囲内に入っているときに、携帯端末装置に店舗までのナビゲーションを成功したことを通知する成功情報を送信させる。これにより、成功報酬型のナビゲーション管理システムを構築することができ、ナビゲーションサービスを受ける者は無駄なコストやリスクを回避できる。
【００３９】
また、本発明の成功管理方法によれば、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。
【発明を実施するための最良の形態】
【００４０】
次に、本発明の実施の形態について、図面を参照しながら説明する。説明の理解を容易にするため、各図面において同一の構成要素に対しては同一の参照番号を附し、重複する説明は省略する。
【００４１】
（実施形態１）
図１は、ナビゲーション管理システム１の構成を示す概念図である。ナビゲーション管理システム１は、成功管理サーバ１０（成功管理システム）および携帯電話機２０（携帯端末装置）から構成されている。成功管理サーバ１０および携帯電話機２０は、無線または有線により電気通信網Ｎに接続されている。電気通信網Ｎには、その他に請求先サーバ３０および店舗検索サーバ３５が接続されている。
【００４２】
図２は、成功管理サーバ１０の構成を示すブロック図である。成功管理サーバ１０は、送受信部１１、管理部１２、記憶部１３、算出部１４、分析部１５および制御バスＬ１から構成されている。
【００４３】
送受信部１１は、電気通信網Ｎを介して情報を送受信するインターフェースである。たとえば、送受信部１１は、携帯電話機２０から携帯電話機２０が店舗４５までのナビゲーションを成功したことを通知する成功情報を受信する。一方、クーポン情報を携帯電話機２０へ送信する。店舗ＩＤとは、店舗を識別するための識別情報である。
【００４４】
管理部１２は、送受信部１１が受信した成功情報および請求先情報を、店舗ＩＤに対応付けて記憶部１３に記憶させる。また、管理部１２は、成功情報を成功数にカウントアップし、成功数を、各店舗を識別するための店舗ＩＤに対応付けて記憶させる。また、管理部１２は、算出部１４が算出した請求額のデータを請求先情報に対応付けて記憶部１３に記憶させる。そして、所定の条件を満たしたときには、記憶部１３から請求先情報および請求額のデータを読み出し、請求先情報から特定される請求先サーバ３０へ請求額のデータの送信処理をする。これにより、請求額を請求することもサーバ間の処理で行なうことができる。所定の条件とは、毎月の末日等の時間的条件その他の条件である。
【００４５】
なお、請求先サーバ３０は、ナビゲーションサービスを受ける店舗紹介者の決済サーバであり、請求額のデータを受信して決済を行なう。請求先サーバ３０は、その他、店舗固有の決済サーバであってもよい。また、管理部１２は、成功情報の受信があったときには、記憶部１３からクーポン情報を読み出し、携帯電話機２０への送信処理を行なう。これにより、店舗４５は、クーポン表示を提示した客の料金を一割引にする等のクーポンサービスを行ない、集客力を高めることができる。その結果、ユーザのナビゲーションの利用を促進することができる。管理部１２は、ＣＰＵにより構成されている。
【００４６】
記憶部１３は、店舗ＩＤに対応付けて店舗の位置情報を記憶し、店舗ＩＤに対応付けてクーポン情報、成功情報、成功数および請求先を特定する請求先情報を記憶する。成功情報は、具体的にはログ情報である。図３は、記憶部１３が記憶する店舗情報のテーブル５０を示す概念図である。図３に示すように、記憶部１３は、店舗名データ５１、店舗ＩＤ５２、店舗の位置情報５３、単価データ５４、成功数データ５５、請求額データ５６、請求先情報５７およびクーポン情報５８をそれぞれ対応付けて記憶している。なお、店舗情報とは、各店舗に対応する様々な情報を指し、少なくとも店舗ＩＤ５２および店舗の位置情報５３を含む。
【００４７】
店舗名データ５１は店舗の名前のデータであり、「居酒屋Ａ」、「イタリア料理店Ｂ」、「中華料理店Ｃ」等の名前がデータとなっている。店舗ＩＤ５２は、それぞれの店舗を識別するための識別番号である。たとえば、「居酒屋Ａ」、「イタリア料理店Ｂ」、「中華料理店Ｃ」にはそれぞれ店舗ＩＤとして「００００１」、「００００２」、「００００３」が割り当てられている。位置情報５３は、各店舗の位置情報であり、たとえば「居酒屋Ａ」の位置は「東京都渋谷区神南１丁目２０−△△」である。図３では概念的に表現しているが、ＧＰＳ機能により与えられる位置情報は、緯度経度情報を含む座標上の数値の組合せである。
【００４８】
単価データ５４は、１回のナビゲーションによる誘導成功の対価のデータである。なお、単価データ５４に代えて、他の数値の組合せで、請求額を算出する数式を特定するパラメータのデータであってもよい。成功数データ５５は、ナビゲーションによる店舗への誘導が成功した数のデータである。
【００４９】
請求額データ５６は、請求先にナビゲーションの成功に対する対価として請求する金額のデータである。請求額は、単価と成功数の積で与えられる。たとえば、「居酒屋Ａ」へのナビゲーションの成功に対する店舗紹介者ａへの請求額は、￥３０×１８＝￥５４０である。請求先情報５７は、請求額の請求先を表わす請求先情報である。たとえば、請求先の決済サーバのアドレスが記憶されており、請求額データ５６を請求先サーバ３０に送信することにより、請求額の決済処理がなされる。図３の「イタリア料理店Ｂ」の例に示すように、請求先ごとに請求額が算出され、記憶されている。
【００５０】
図３に示すように、店舗名「居酒屋Ａ」を識別するための店舗ＩＤは「００００１」であり、「居酒屋Ａ」の位置情報は「東京都渋谷区神南１丁目２０−△△」である。ナビゲーションの成功に対する単価は￥３０、成功数は１８で請求額は５４０￥である。記憶部１３は、ＲＡＭ等のメモリにより構成されている。クーポン情報５８は、たとえば割引率と割引期間を示す画像データや、そのような画像データを得ることのできるサイトのＵＲＬデータである。
【００５１】
なお、成功情報は、図４に示すようなログ情報として店舗ごとに記憶部１３に記憶される。図４は、居酒屋Ａに対応して記憶されているログ情報６０を示す図である。記憶部１３は、ログ情報６０に、携帯電話機２０がナビゲーションの成功を判断した時刻を成功時刻６１、ナビゲーションが開始されたときの携帯電話機２０の位置を開始位置６２、携帯電話機２０の端末固有のＩＤを端末ＩＤとして、記憶する。また、携帯電話機２０を所有するユーザの属性情報がわかる場合には、同時に属性情報６４を記憶してもよい。このようにログ情報を記憶することにより、様々な分析が可能となる。
【００５２】
また、請求先サーバ３０に送信するための請求に関するデータは、別個のテーブルとして図５のように記憶しておくこととしてもよい。図５に示すように、請求額のテーブル７０として請求先情報７１ごとに合計請求額データ７２を記憶させておき、管理部１２が月締め日にそれぞれの請求先に請求額データ５６を送信することができる。
【００５３】
算出部１４は、記憶部１３から請求先情報および成功数を読み出し、ナビゲーションの成功の対価として請求すべき請求額を請求先ごとに算出する。これにより、店舗または店舗紹介者その他のナビゲーションサービスの提供を受ける者が、誘導の成功に応じて、ナビゲーションサービスの提供者に対価を支払うことを可能にする。成果に応じてナビゲーションサービスの提供料を支払うことができるため、ナビゲーションサービスを受ける者は無駄なコストやリスクを回避できる。請求額は単価と成功数の積で算出するが、算出方法はこのような方法に限定されるものではなく、他の数式によるものであってもよい。算出部１４は、ＣＰＵにより構成されている。
【００５４】
なお、記憶部１３は成功数を記憶せず、算出部１４は、記憶部１３から店舗ごとに記憶されているログ情報を読み出し、成功数をカウントするとともに請求額を請求先ごとに算出することとしてもよい。
【００５５】
分析部１５は、記憶部１３から店舗ＩＤおよび成功情報を読み出し、店舗までのナビゲーションの利用状況を分析する。分析部１５は、１ヶ月ごとに各店舗のナビゲーションの利用回数を合計する。記憶部１３に、ナビゲーションの利用時刻や、ナビゲーションの開始地点等を記憶させておけば、店舗ごとにナビゲーション利用時刻の分布を計算したり、ナビゲーションの開始地点の傾向を分析したりすることも可能である。これにより、ナビゲーションの利用状況の分析や管理を行ない、ナビゲーションサービスの充実を図ることができる。分析部１５は、ＣＰＵにより構成されている。制御バスＬ１は、各部間の信号やデータの送受に用いられる幹線を概念的に示したものである。
【００５６】
なお、上記の実施形態では、成功管理サーバ１０は１つの装置として記載されているが、成功管理サーバ１０の各部またはその組み合わせがそれぞれ装置となり、装置が組み合わされたシステムとして構成されてもよい。たとえば、成功管理サーバ１０に代えて、記憶部１３の機能を果たすデータベースと、算出部１４の機能を果たすサーバとから構成される成功管理システムであってもよい。
【００５７】
図６は、携帯電話機２０の構成を示すブロック図である。携帯電話機２０は、送受信部２１、ナビゲーション実行部２２、表示部２３、操作部２４、判定部２５、成功処理部２６および制御バスＬ２から構成されており、ＧＰＳ機能を有する。ＧＰＳ機能とは、汎地球測位システム（ＧｌｏｂａｌＰｏｓｉｔｉｏｎｉｎｇ Ｓｙｓｔｅｍ）による測量機能であり、地上約２００００ｋｍの上空を周回する衛星４０の電波を受信し、精度の高い測位を行うものである。
【００５８】
送受信部２１は、電気通信網Ｎを介して情報を送受信するインターフェースである。たとえば、送受信部２１は、成功管理サーバ１０へナビゲーションの成功を通知する成功情報を送信する。また、店舗検索サーバ３５へ店舗４５の店舗ＩＤおよび位置情報を要求する要求信号を送信し、店舗検索サーバ３５から、少なくとも店舗情報として店舗４５の店舗ＩＤおよび位置情報を受信する。送受信部２１が受信する店舗情報には、店舗の詳細情報も含まれている。また、送受信部２１は、店舗検索サーバ３５から店舗ＩＤおよび位置情報とともに、請求先情報も受信し、成功管理サーバ１０に請求先情報を送信する。店舗検索サーバ３５は、Ｗｅｂ上で店舗検索サービスを行なう店舗紹介者が所有するサーバである。ナビゲーションサービスは、サービスの提供者と店舗紹介者や個別の店舗等との間で受けることが契約されており、ナビゲーションサービスの対価は、サービスの提供者からこのような店舗紹介者に請求される。なお、個別の店舗にナビゲーションサービスの対価を請求する場合には、店舗検索サーバ３５から請求先情報を受信せず、あらかじめ成功管理サーバ１０に記憶された請求先情報を用いることとしてもよい。
【００５９】
ナビゲーション実行部２２は、店舗４５の位置情報および店舗ＩＤを含む店舗情報に基いて、ＧＰＳ機能により店舗４５までのナビゲーションを実行する。具体的には、現在位置をＧＰＳ機能により測位しながら、表示部２３に目的地である店舗４５の位置までの経路を周辺地図とともに表示させる。交差点等では、音声や表示により進行方向を案内する処理を行なわせてもよい。ナビゲーション実行部２２は、ＣＰＵにより構成されている。
【００６０】
表示部２３は、ユーザに対して様々な情報を表示する。たとえば、店舗検索中には、店舗の詳細情報を表示する。また、操作ナビゲーション実行中には、表示部２３に目的地である店舗４５の位置までの経路を周辺地図とともに表示する。また、ナビゲーションの成功により成功管理サーバ１０からクーポン情報を受信したときには、操作によりクーポンを表示する。表示部２３は、液晶ディスプレイ、プラズマディスプレイまたは有機ＥＬディスプレイ等により構成される。
【００６１】
操作部２４は、表示部２３に表示された店舗のリストからユーザが特定の店舗を選択し、決定する操作を受け付ける。また、ナビゲーション実行時において、地図の拡大や縮小を指示する操作を受け付ける。また、ナビゲーションが成功したときにクーポンを表示する操作を受け付ける。操作部２４は、たとえば、ボタンの集合により構成されている。
【００６２】
判定部２５は、ナビゲーションの実行中に、自己の現在位置が目的地の店舗４５の位置から一定範囲４６の中に入っているか否かを判定する。具体的には、店舗４５の位置情報と現在位置の情報とから距離を計算し、その距離が一定値以下になったか否かを判定する。一定値とは、店舗４５までのナビゲーションが成功したとみなすことができる程度の距離の値であり、たとえば、「居酒屋Ａ」は１０ｍ、「イタリア料理店Ｂ」は２０ｍというように店舗別に設定されていてもよい。判定部２５は、ＣＰＵにより構成されている。
【００６３】
成功処理部２６は、判定部２５が自己の現在位置が店舗４５の位置から一定範囲内に入っていると判定した場合には、ナビゲーションを成功したものとして成功管理サーバ１０へ、ナビゲーションの成功を通知する成功情報、店舗ＩＤおよび請求先情報の送信処理を行なう。成功処理部２６は、ＣＰＵにより構成されている。
【００６４】
次に、このように構成されるナビゲーション管理システム１の動作を説明する。図７は、ナビゲーション管理システム１の動作の概要を示すシーケンスチャートである。
【００６５】
まず、ユーザが携帯電話機２０を操作し、店舗検索等を行なうことにより、店舗情報の要求信号が送受信部２１を介して店舗検索サーバ３５に送信される（ステップＳ１）。店舗検索の際には、携帯電話機２０がＧＰＳ機能により得た現在位置情報をもとに行なう。次に、店舗検索サーバ３５は、店舗ＩＤ、店舗の位置情報および請求先情報を含む店舗情報を携帯電話機２０に送信する（ステップＳ２）。なお、店舗情報要求信号には携帯電話機を識別できる識別情報が含まれている。また、店舗情報には、さまざまな店舗の詳細情報が含まれている。店舗情報を受信した携帯電話機２０は、ナビゲーションに関する一連の動作を行なう（ステップＳ３）。特に、この携帯電話機２０による一連の動作については図８から図１０により詳細に説明する。
【００６６】
図８は、携帯電話機２０のナビゲーションに関する一連の動作を示すフローチャートである。まず、携帯電話機２０は、店舗の詳細情報を表示部２３に表示する（ステップＳ３−１）。図９は、店舗の詳細情報を表示部２３に表示した表示例である。なお、ここでは店舗情報には店舗ＩＤや位置情報以外の店舗の詳細情報が含まれる。図９に示すように、表示部２３は、「居酒屋Ａ」の店舗情報を表示する。店舗の詳細情報には、たとえば、お薦めの料理、駅からの距離、営業時間、電話番号、メニューが含まれている。これによりユーザは、詳細情報を見た上で行きたい店舗を決定することができる。
【００６７】
店舗情報が表示部２３に表示されているときに、操作部２４はナビゲーションを選択する操作を受け付ける。図９では、「ここへ行く！」の表示７７にカーソルを合わせて、決定のボタンを押すことでナビゲーションを選択することが可能となっている。ナビゲーション実行部２２は、ナビゲーションを選択する操作があったか否かを判定する（ステップＳ３−２）。
【００６８】
ナビゲーションを選択する操作がなければ、ステップＳ３−１に戻り、そのまま店舗の詳細情報を表示する。ナビゲーションを選択する操作があったときには、ナビゲーションを実行する（ステップＳ３−３）。すなわち、ナビゲーション実行部２２は、ＧＰＳ機能により携帯電話機２０の現在位置を把握し、図１０に示すように、現在位置を反映した周辺地図と目的地までの経路を表示部２３に表示する処理を行なう。図１０の表示例では、人物を表わすキャラクターが中央に表示され、進むべき経路が地図上に太線で表示されている。そして、前方１００ｍ先を右折すべきことがテロップ状に表示されるとともに、経路上にも記号が表示されている。
【００６９】
次に、判定部２５は、現在位置が目的の店舗４５の位置から一定の範囲４６の中か否かを判定する（ステップＳ３−４）。具体的には、現在位置と店舗の位置との距離が一定値以下であるか否かを判定する。現在位置が目的の店舗の位置から一定の範囲内にない場合には、ステップＳ３−３へ戻り、ナビゲーションの実行を続ける。現在位置が目的の店舗の位置から一定の範囲内にある場合には、ナビゲーションによる誘導が成功したものとして、成功情報および店舗ＩＤを成功管理サーバ１０に送信する処理を行なう（ステップＳ３−５）。
【００７０】
このような携帯電話機２０の一連の動作の後、図７に示すように、携帯電話機２０は、送受信部２１を介して成功管理サーバ１０へ成功情報、店舗ＩＤおよび請求先情報を送信する（ステップＳ４）。成功管理サーバ１０は、成功情報および店舗ＩＤを受信し、その店舗ＩＤにより特定されるクーポン情報を携帯電話機２０に送信する（ステップＳ５）。なお、成功情報には、ナビゲーションによる誘導が成功したことを示す情報以外に携帯電話機を識別できる識別情報が含まれている。
【００７１】
次に、成功管理サーバ１０の管理部１２は、成功情報の受信があったときには、成功情報を成功数にカウントアップする（ステップＳ６）。成功情報としてのログ情報およびカウントアップして得た成功数を記憶部１３に記憶させる（ステップＳ７）。たとえば、ログ情報としては、特定の携帯電話機２０を識別する識別情報に対応付けて、ナビゲーションが実行され成功したことが記憶される。このようなログ情報を分析することにより、携帯電話機のユーザ層とナビゲーションの利用との関係を分析することも可能となる。
【００７２】
次に、成功数を基に請求額を算出し、請求額の変更を記憶部１３に反映させる（ステップＳ８）。そして、所定の条件が満たされたときには、管理部１２は、請求額データ５６を記憶部１３から読み出し、請求先サーバ３０に送信する（ステップＳ９）。なお、所定の条件とは、たとえば請求額算出の月締め日になったこと等の時間的条件である。このように条件を設定しておけば、月締め日に請求が行なわれることになる。その他、時間的な条件以外に、一定の事象を条件としてもよい。請求先サーバ３０は、請求額データ５６を受信して、引落処理等の決済処理を行なう。
【００７３】
なお、上記の実施形態では、店舗検索サーバ３５と携帯電話機２０との間で送受信される店舗ＩＤが、携帯電話機２０と成功管理サーバ１０との間で送受信される店舗ＩＤと同じであるが、相互に対応関係のある別の識別情報であってもよい。
【００７４】
また、上記の実施形態においては、成功管理サーバ１０は成功情報によりナビゲーションの成功を管理するが、成功管理サーバ１０がナビゲーションの開始を伝える開始情報を受信して、ユーザがナビゲーションを選択したこと等を管理することとしてもよい。また、成功管理サーバ１０が、ナビゲーションの選択に対して最後までナビゲーションが成功したことを管理することとしてもよい。その場合には、携帯電話機２０は、操作部２４によりナビゲーションが選択されたときにナビゲーションの開始情報を成功管理サーバ１０に送信することになる。
【００７５】
（実施形態２）
上記のナビゲーション管理システム１では、成功管理サーバ１０は成功情報の管理のみを行ない、店舗検索サーバ３５が店舗情報を記憶し、携帯電話機２０の要求に対して店舗情報を送信する誘導処理を行なうが、成功管理サーバが店舗検索サーバの機能をも有するシステムとしてもよい。
【００７６】
図１１は、ナビゲーション管理システム８１の構成を示す概念図である。図１１に示すように、ナビゲーション管理システム８１では、成功管理サーバ９０が、携帯電話機２０の要求により店舗情報を送信する。一方、成功管理サーバ９０は、携帯電話機２０がナビゲーションを成功させたときに、携帯電話機２０から成功情報および店舗ＩＤを受信し、請求額の算出を行なう。
【００７７】
図１２は、成功管理サーバ９０の構成を示すブロック図である。成功管理サーバ９０は、送受信部９１、管理部９２、記憶部９３、算出部９４、分析部９５、誘導処理部９６および制御バスＬ３により構成されている。誘導処理部９６以外の構成は、実施形態１の成功管理サーバ１０と同様である。誘導処理部９６は、携帯電話機２０から店舗４５の店舗ＩＤおよび位置情報を要求する要求信号があったときに、店舗４５の店舗ＩＤおよび位置情報を記憶部１３から読み出し、店舗情報として携帯電話機２０への送信処理を行なう。送受信部９１は、店舗情報として店舗４５の店舗ＩＤおよび位置情報を携帯電話機２０に送信する。誘導処理部９６は、ＣＰＵにより構成されている。このように、成功管理サーバ９０に複数の機能をもたせることにより、アフィリエイトシステムの効率を高めることができる。
【図面の簡単な説明】
【００７８】
【図１】本発明に係るナビゲーション管理システムの第一実施形態を示す概念図である。
【図２】本発明に係る成功管理システム（成功管理サーバ）の第一実施形態の構成を示すブロック図である。
【図３】本発明に係る成功管理システム（成功管理サーバ）の記憶するテーブル示す図である。
【図４】本発明に係る成功管理システム（成功管理サーバ）の記憶するテーブル示す図である。
【図５】本発明に係る成功管理システム（成功管理サーバ）の記憶するテーブル示す図である。
【図６】本発明に係る携帯端末装置（携帯電話機）の構成を示すブロック図である。
【図７】本発明に係るナビゲーション管理システムの動作を示すシーケンスチャートである。
【図８】本発明に係る携帯端末装置（携帯電話機）のプログラムを示すフローチャートである。
【図９】本発明に係る携帯端末装置（携帯電話機）の画面表示例である。
【図１０】本発明に係る携帯端末装置（携帯電話機）の画面表示例である。
【図１１】本発明に係るナビゲーション管理システムの第二実施形態を示す概念図である。
【図１２】本発明に係る成功管理システム（成功管理サーバ）の第二実施形態の構成を示すブロック図である。
【符号の説明】
【００７９】
１、８１  ナビゲーション管理システム
１０、９０  成功管理サーバ（成功管理システム）
１１、９１  送受信部
１２、９２  管理部
１３、９３  記憶部
１４、９４  算出部
１５、９５  分析部
２０  携帯電話機（携帯端末装置）
２１  送受信部
２２  ナビゲーション実行部
２３  表示部
２４  操作部
２５  判定部
２６  成功処理部
３０  請求先サーバ
３５  店舗検索サーバ
４５  店舗
４６  一定範囲
５０  店舗情報のテーブル
５２  店舗ＩＤ
５１  店舗名データ
５３  位置情報
５４  単価データ
５５  成功数データ
５６  請求額データ
５７  請求先情報
５８  クーポン情報
６０  ログ情報
６１  成功時刻
６２  開始位置
６４  属性情報
７０  請求額のテーブル
７１  請求先情報
７２  合計請求額データ
９６  誘導処理部
【図１】
2006330943.tif 000003
【図２】
2006330943.tif 000004
【図３】
2006330943.tif 000005
【図４】
2006330943.tif 000006
【図５】
2006330943.tif 000007
【図６】
2006330943.tif 000008
【図７】
2006330943.tif 000009
【図８】
2006330943.tif 000010
【図９】
2006330943.tif 000011
【図１０】
2006330943.tif 000012
【図１１】
2006330943.tif 000013
【図１２】
2006330943.tif 000014